(57)【要約】【課題】  認証結果表示装置、認証結果表示システム及び認証結果表示プログラムにおいて、認証結果画像を簡単に偽造することができず、また使用するユーザが認証結果画像に対して違和感を覚えにくくする。【解決手段】  取り付けられる製品に対応した製品固有情報及び前記製品固有情報に関連付けられたタグ固有情報を記憶する非接触タグから、前記タグ固有情報を読み出す読み出し部と、前記読み出し部で読み出された前記タグ固有情報に基づいて前記非接触タグが取り付けられた前記製品が正規の製品であるか否かの認証結果を示す認証結果表示情報と、前記認証を行ったときの状況に応じて変化する認証状況情報及び自端末の端末固有情報のうちの少なくとも一方からなる１又は２以上の付加表示情報と、を含んで生成された認証結果画像を表示する表示部と、を備える。【選択図】図２
2016200998.tif 000002
【特許請求の範囲】
【請求項１】
取り付けられる製品に対応した製品固有情報及び前記製品固有情報に関連付けられたタグ固有情報を記憶する非接触タグから、前記タグ固有情報を読み出す読み出し部と、
前記読み出し部で読み出された前記タグ固有情報に基づいて前記非接触タグが取り付けられた前記製品が正規の製品であるか否かの認証結果を示す認証結果表示情報と、認証を行ったときの状況に応じて変化する認証状況情報及び自端末の端末固有情報のうちの少なくとも一方からなる１又は２以上の付加表示情報と、を含んで生成された認証結果画像を表示する表示部と、
を備える認証結果表示装置。
【請求項２】
前記認証結果画像において、前記認証結果表示情報と前記付加表示情報の一部とが重なって表示される請求項１に記載の認証結果表示装置。
【請求項３】
前記認証結果画像において、前記認証結果表示情報が前記付加表示情報の前面に重なって表示される請求項２に記載の認証結果表示装置。
【請求項４】
前記認証結果画像において、前記付加表示情報が前記認証結果表示情報の前面に重なって表示される請求項２に記載の認証結果表示装置。
【請求項５】
前記認証結果画像において、前記認証結果表示情報と前記付加表示情報とが重なって表示された部分及び複数の前記付加表示情報同士が重なって表示された部分の表示色が、前記認証結果表示情報及び前記付加表示情報のそれぞれの表示色とは異なる色で表示される請求項２から４のいずれか一項に記載の認証結果表示装置。
【請求項６】
前記認証結果表示情報と前記付加表示情報とが重なって表示された部分の表示色及び複数の前記付加表示情報同士が重なって表示された部分の表示色が、それぞれ、重なって表示された前記認証結果表示情報及び前記付加表示情報の表示色が合成された色並びに複数の前記付加表示情報の表示色が合成された色である請求項５に記載の認証結果表示装置。
【請求項７】
ユーザの操作により指示を受け付ける操作入力部を備え、
前記表示部は、前記操作入力部から入力されたユーザの指示に基づいて前記認証結果表示情報及び前記付加表示情報の少なくとも一方の表示位置又は表示色が決定された前記認証結果画像を表示する請求項１から６のいずれか一項に記載の認証結果表示装置。
【請求項８】
前記認証状況情報が、前記認証を行った認証日、認証時刻及び認証場所の少なくとも一つを示す情報である請求項１から７のいずれか一項に記載の認証結果表示装置。
【請求項９】
前記認証の結果に基づいて前記認証結果画像の作成を行うサーバと接続可能な通信部を備え、
前記通信部を介して前記サーバから送信された前記認証結果画像を取得する請求項１から８のいずれか一項に記載の認証結果表示装置。
【請求項１０】
取り付けられる製品に対応した製品固有情報及び前記製品固有情報に関連付けられたタグ固有情報を記憶する非接触タグと、
前記非接触タグから前記タグ固有情報を読み出す読み出し部と、前記読み出し部で読み出された前記タグ固有情報に基づく前記非接触タグが取り付けられた前記製品が正規の製品であるか否かの認証判定に基づいて、該製品の認証結果を示す認証結果表示情報と、前記認証判定を行ったときの状況に応じて変化する認証状況情報及び自端末の端末固有情報のうちの少なくとも一方からなる１又は２以上の付加表示情報と、を含む認証結果画像の作成を行う画像作成サーバと、前記画像作成サーバと接続可能な通信部と、前記認証結果画像を表示する表示部と、を備える認証結果表示装置と、
を備える認証結果表示システム。
【請求項１１】
取り付けられる製品に対応した製品固有情報及び前記製品固有情報に関連付けられたタグ固有情報を記憶する非接触タグと、
前記製品固有情報に基づいて前記非接触タグが取り付けられた前記製品が正規の製品であるか否かの認証判定を行う認証サーバと、
前記認証判定の認証結果を含む認証結果画像を表示する認証結果表示装置と、
を備え、
前記認証結果表示装置は、
前記非接触タグから前記タグ固有情報を読み出す読み出し部と、
前記認証サーバと接続可能な通信部と、
前記通信部を介して取得した前記認証判定の結果に基づいて、前記製品の認証結果を示す認証結果表示情報と、認証を行ったときの状況に応じて変化する認証状況情報及び自端末の端末固有情報のうちの少なくとも一方からなる１又は２以上の付加表示情報と、を含む認証結果画像の作成を行う画像生成部と、
前記認証結果画像を表示する表示部と、
を備える認証結果表示システム。
【請求項１２】
取り付けられる製品に対応した製品固有情報及び前記製品固有情報に関連付けられたタグ固有情報を記憶する非接触タグと、
前記製品固有情報に基づいて前記非接触タグが取り付けられた前記製品が正規の製品であるか否かの認証判定を行い、前記認証判定の認証結果を含む認証結果画像を表示する認証結果表示装置と、
前記認証結果表示装置と通信を行い、該認証結果表示装置に記憶された前記認証判定に必要な情報を更新する更新サーバと
を備え、
前記認証結果表示装置は、
前記非接触タグから前記タグ固有情報を読み出す読み出し部と、
前記更新サーバと接続可能な通信部と、
前記製品固有情報に基づいて前記非接触タグが取り付けられた前記製品が正規の製品であるか否かの認証判定を行う認証判定部と、
前記認証判定の結果に基づいて、前記製品の認証結果を示す認証結果表示情報と、認証を行ったときの状況に応じて変化する認証状況情報及び自端末の端末固有情報のうちの少なくとも一方からなる１又は２以上の付加表示情報と、を含む認証結果画像の作成を行う画像生成部と、
前記認証結果画像を表示する表示部と、
を備える認証結果表示システム。
【請求項１３】
前記製品固有情報及び前記タグ固有情報は、互いに関連付けられた製品データとして予め記憶されており、前記読み出し部で読み出された前記タグ固有情報と前記製品データとに基づいて前記認証判定が行われる請求項１０から１２のいずれか一項に記載の認証結果表示システム。
【請求項１４】
移動通信端末を、
取り付けられる製品に対応した製品固有情報及び前記製品固有情報に関連付けられたタグ固有情報を記憶する非接触タグから、前記タグ固有情報を読み出す読み出し部と、
前記読み出し部で読み出された前記タグ固有情報に基づいて前記非接触タグが取り付けられた前記製品が正規の製品であるか否かの認証結果を示す認証結果表示情報と、認証を行ったときの状況に応じて変化する認証状況情報及び自端末の端末固有情報のうちの少なくとも一方からなる１又は２以上の付加表示情報と、を含んで生成された認証結果画像を表示する表示部と、
として機能させる認証結果表示プログラム。
【発明の詳細な説明】
【技術分野】
【０００１】
本発明は、認証結果表示装置、認証結果表示システム及び認証結果表示プログラムに関する。
【背景技術】
【０００２】
近年、いわゆるブランド品と呼ばれる高級なイメージが付随する商品だけでなく、工業製品、精密機器等の付加価値の高い商品の偽造品が増加している。偽造品の中には、消費者が正規の商品と区別することが難しいものがある。
このため、偽造品への対策として、ＩＣ（Integrated Circuit：集積回路）チップ（例えばＩＣタグ）を商品に取り付けるケースが増加しており、高性能、高機能で偽造や成りすましが非常に困難なＩＣタグが開発されてきた。
【０００３】
例えば特許文献１に示すように、ＩＣタグには、そのＩＣタグが取り付けられた商品に関する固有情報が記憶されており、ＩＣタグに記憶された固有情報は、ＩＣタグリーダを備えた端末を用いて近距離無線通信により読み取られる。端末は、ＩＣタグから読み取った固有情報に対する認証確認を認証サーバ等に対して行い、その固有情報を記憶するＩＣタグが取り付けられた商品が正規品か否かの判定結果を表示したり、音声出力したりすることができる。
【先行技術文献】
【特許文献】
【０００４】
【特許文献１】特開２０１３−０２５８１６号公報
【発明の概要】
【発明が解決しようとする課題】
【０００５】
スマートフォンの普及に伴い、携帯電話にインストール可能な正規品検査用のＵＩ（User Interface）アプリケーション（以下、ＵＩアプリと記載する場合がある）が開発されている。このようなＵＩアプリでは、携帯電話に搭載されたＮＦＣ（Near field communication）リーダ等により商品に取り付けられたＩＣタグから固有情報を読み出して認証サーバ等に対して認証確認を行い、認証結果を携帯電話の表示部に表示させることができる。
【０００６】
しかしながら、携帯電話にインストールされたＵＩアプリにより検査を行う場合、ＵＩアプリの認証結果を示す画面や、ＵＩアプリの操作画面等の各画面をキャプチャされ、検査用のＵＩアプリそのものを偽造される場合がある。このような偽造ＵＩアプリでは、実際には認証サーバに対する認証確認を行わずに、検査開始から一定時間経過後に必ず正規品であることを示す認証結果画像を表示することも可能である。このため、例えば偽造品の販売者が、偽造ＵＩアプリを使用して消費者に対して正規品であると誤認させ、消費者に対して偽造品を販売するおそれがある。
【０００７】
そして、このような偽造ＵＩアプリの配布を完全に防ぐことは困難である。すなわち、正規品の販売者やアプリケーションを販売するアプリケーションサービスプロバイダ（ＡＳＰ：Application Service Provider）がこのような偽造ＵＩアプリが販売されていないかを監視して全ての偽造ＵＩアプリを削除することは困難である。
そこで本発明の一態様は、認証結果画像を簡単に偽造することができず、また使用するユーザが認証結果画像に対して違和感を覚えることがない認証結果表示装置、認証結果表示システム及び認証結果表示プログラムを提供することを目的とする。
【課題を解決するための手段】
【０００８】
上述の課題を解決するために、本発明の一態様に係る認証結果表示装置は、取り付けられる製品に対応した製品固有情報及び前記製品固有情報に関連付けられたタグ固有情報を記憶する非接触タグから、前記タグ固有情報を読み出す読み出し部と、前記読み出し部で読み出された前記タグ固有情報に基づいて前記非接触タグが取り付けられた前記製品が正規の製品であるか否かの認証結果を示す認証結果表示情報と、認証を行ったときの状況に応じて変化する認証状況情報及び自端末の端末固有情報のうちの少なくとも一方からなる１又は２以上の付加表示情報と、を含んで生成された認証結果画像を表示する表示部と、を備えることを特徴とする。
【０００９】
本発明の一態様に係る認証結果表示システムは、取り付けられる製品に対応した製品固有情報及び前記製品固有情報に関連付けられたタグ固有情報を記憶する非接触タグと、前記非接触タグから前記タグ固有情報を読み出す読み出し部と、前記読み出し部で読み出された前記タグ固有情報に基づく前記非接触タグが取り付けられた前記製品が正規の製品であるか否かの認証判定に基づいて、該製品の認証結果を示す認証結果表示情報と前記認証判定を行ったときの状況に応じて変化する認証状況情報及び自端末の端末固有情報のうちの少なくとも一方からなる１又は２以上の付加表示情報とを含む認証結果画像の作成を行う画像作成サーバと、前記画像作成サーバと接続可能な通信部と、前記認証結果画像を表示する表示部と、を備える認証結果表示装置と、を備えることを特徴とする。
【００１０】
また、本発明の他の態様に係る認証結果表示システムは、取り付けられる製品に対応した製品固有情報及び前記製品固有情報に関連付けられたタグ固有情報を記憶する非接触タグと、前記製品固有情報に基づいて前記非接触タグが取り付けられた前記製品が正規の製品であるか否かの認証判定を行う認証サーバと、前記認証判定の認証結果を含む認証結果画像を表示する認証結果表示装置と、を備え、前記認証結果表示装置は、前記非接触タグから前記タグ固有情報を読み出す読み出し部と、前記認証サーバと接続可能な通信部と、前記通信部を介して取得した前記認証判定の結果に基づいて、前記製品の認証結果を示す認証結果表示情報と、認証を行ったときの状況に応じて変化する認証状況情報及び自端末の端末固有情報のうちの少なくとも一方からなる１又は２以上の付加表示情報と、を含む認証結果画像の作成を行う画像生成部と、前記認証結果画像を表示する表示部と、を備えることを特徴とする。
【００１１】
さらに、本発明の他の態様に係る認証結果表示システムは、取り付けられる製品に対応した製品固有情報及び前記製品固有情報に関連付けられたタグ固有情報を記憶する非接触タグと、前記製品固有情報に基づいて前記非接触タグが取り付けられた前記製品が正規の製品であるか否かの認証判定を行い、前記認証判定の認証結果を含む認証結果画像を表示する認証結果表示装置と、前記認証結果表示装置と通信を行い、該認証結果表示装置に記憶された前記認証判定に必要な情報を更新する更新サーバとを備え、前記認証結果表示装置は、前記非接触タグから前記タグ固有情報を読み出す読み出し部と、前記更新サーバと接続可能な通信部と、前記製品固有情報に基づいて前記非接触タグが取り付けられた前記製品が正規の製品であるか否かの認証判定を行う認証判定部と、前記認証判定の結果に基づいて、前記製品の認証結果を示す認証結果表示情報と、認証を行ったときの状況に応じて変化する認証状況情報及び自端末の端末固有情報のうちの少なくとも一方からなる１又は２以上の付加表示情報と、を含む認証結果画像の作成を行う画像生成部と、前記認証結果画像を表示する表示部と、を備えることを特徴とする。
【００１２】
上述の課題を解決するために、本発明の一態様に係る認証結果表示プログラムは、移動通信端末を、取り付けられる製品に対応した製品固有情報及び前記製品固有情報に関連付けられたタグ固有情報を記憶する非接触タグから、前記タグ固有情報を読み出す読み出し部と、前記読み出し部で読み出された前記タグ固有情報に基づいて前記非接触タグが取り付けられた前記製品が正規の製品であるか否かの認証結果を示す認証結果表示情報と、認証を行ったときの状況に応じて変化する認証状況情報及び自端末の端末固有情報のうちの少なくとも一方からなる１又は２以上の付加表示情報と、を含んで生成された認証結果画像を表示する表示部と、として機能させることを特徴とする。
【発明の効果】
【００１３】
本発明の一態様によれば、正規品検査用のＵＩアプリを簡単に偽造することができず、またＵＩアプリを使用するユーザが使用時に違和感を覚えることを低減することができる。
【図面の簡単な説明】
【００１４】
【図１】本発明の一実施形態における認証結果表示システムの機能を説明するための機能ブロック図である。
【図２】本発明の一実施形態における移動通信端末の表示部に表示された認証結果画像の第１の例を示す模式図である。
【図３】本発明の一実施形態における移動通信端末の表示部に表示された認証結果画像の第２の例を示す模式図である。
【図４】本発明の一実施形態における移動通信端末の表示部に表示された認証結果画像の第３の例を示す模式図である。
【図５】本発明の一実施形態における移動通信端末の表示部に表示された認証結果画像の第４の例を示す模式図である。
【図６】本発明の一実施形態における認証結果表示システムにおいて、製品データを登録する際の動作を示すシーケンスチャートである。
【図７】本発明の一実施形態における認証結果表示システムにおいて、製品の認証動作を示すシーケンスチャートである。
【図８】本発明の一実施形態における認証結果表示システムにおいて、認証結果画像の生成方法を示すフローチャートである。
【図９】本発明の他の実施形態における認証結果表示システムの機能を説明するための機能ブロック図である。
【図１０】本発明の他の実施形態における認証結果表示システムにおいて、製品の認証動作を示すシーケンスチャートである。
【図１１】本発明の他の実施形態における認証結果表示システムの機能を説明するための機能ブロック図である。
【図１２】本発明の他の実施形態における認証結果表示システムにおいて、製品データを登録する際の動作を示すシーケンスチャートである。
【図１３】本発明の他の実施形態における認証結果表示システムにおいて、製品の認証動作を示すシーケンスチャートである。
【発明を実施するための形態】
【００１５】
以下、図１から図１３を参照して、本発明に係る認証結果表示装置、認証結果表示システム及び認証結果表示プログラムの第１の実施形態、第２の実施形態及び第３の実施形態について説明する。
＜＜第１の実施形態＞＞
図１から図８を参照して、第１の実施形態を説明する。
第１の実施形態では、非接触タグから読み取った情報に基づいて製品の認証を行った際に、認証結果画像が認証結果表示装置外のサーバにて生成され、サーバから認証結果表示装置に送信されて認証結果表示装置で表示される構成について説明する。
【００１６】
第１の実施形態では、非接触タグとしてＲＦＩＤ（Radio Frequency IDentifier）タグを用い、ＲＦＩＤ技術により電波（電磁誘導）による近距離無線通信を利用したＲＦＩＤタグへの情報の書き込み及び読み出し行なう。また、第１の実施形態では、認証結果表示装置として、認証結果表示プログラムである認証判定用のＵＩアプリがインストールされた携帯電話等の移動通信端末を用いる。さらに、第１の実施形態では、認証結果表示装置外の認証サーバにおいて、製品の認証及び認証結果画像の生成の双方を行う構成とする。
【００１７】
＜認証結果表示システムの構成＞
図１は、第１の実施形態における認証結果表示システム１の機能を説明するための機能ブロック図である。認証結果表示システム１は、図示しない製品に取り付けられるＲＦＩＤタグ１０と、製品の認証結果を示す認証結果表示情報を含む認証結果画像を表示する移動通信端末２０と、製品の認証及び認証結果画像の生成を行う認証サーバ３０とを備えている。
【００１８】
（ＲＦＩＤタグ）
ＲＦＩＤタグ１０は、各ＲＦＩＤタグ１０固有のタグ固有情報（以下、ＵＩＤと記載する場合がある）を記憶している。タグ固有情報は、例えばＲＦＩＤタグ１０の製造業者によって書きこまれる。また、ＲＦＩＤタグ１０は、ＲＦＩＤタグ１０が取り付けられる製品に対応した製品固有情報を記憶している。製品固有情報は、例えば製品の製造業者によって書き込まれる。
【００１９】
ＲＦＩＤタグ１０は、例えば、ＲＦＩＤタグ１０が取り付けられる製品の製造業者によって製品に取り付けられる。また、ＲＦＩＤタグ１０に記憶されたタグ固有情報及び製品固有情報は、製造業者等によって図示しないＲＦＩＤリーダで読み出され、互いに関連付けられて認証サーバ３０の製品データベース（詳細は後述する）３３に記憶される。さらに、タグ固有情報は、製品を販売する販売員や製品を購入した消費者によって、移動通信端末２０で読み出される。
ＲＦＩＤタグ１０は、図示しない通信部、記憶部及び制御部を備えている。このため、ＲＦＩＤリーダ／ライタ機能を有する端末による近距離無線通信を利用して、ＲＦＩＤタグ１０の記憶部にタグ固有情報及び製品固有情報が非接触で書き込まれ、記憶されたタグ固有情報及び製品固有情報が非接触で読み出される。
【００２０】
（移動通信端末）
移動通信端末２０は、例えばスマートフォン等の携帯電話端末であり、ＲＦＩＤリーダ２１と、通信部２２と、操作入力部２３と、表示部２４と、時計部２５と、位置検出部２６と、記憶部２７と、制御部２８とを備えている。
【００２１】
ＲＦＩＤリーダ２１は、ＲＦＩＤタグ１０との間で無線通信を行うインタフェースであり、ＲＦＩＤタグ１０に記憶されたタグ固有情報を非接触で読み出す読み出し部である。
通信部２２は、ネットワークを介して認証サーバ３０及び図示しない移動通信網の基地局と接続されるインタフェースである。移動通信網の基地局としては、ＬＴＥ（Long Term Evolution）網における無線基地局（ｅＮｏｄｅＢ：evolved Node B）や、３Ｇ網における無線基地局（ＢＴＳ：Base Transceiver Station）／無線ネットワーク制御局（ＲＮＣ：Radio Network Controller）等が挙げられる。
【００２２】
操作入力部２３は、例えばボタンやタッチパネルであり、ユーザの操作により指示を受け付ける。具体的には、認証判定用のＵＩアプリの起動操作や操作画面での操作を受け付ける。操作入力部２３では、ＵＩアプリ画面上で指示を行うことにより、ユーザの希望に沿って認証結果画像における表示要素や各表示要素の表示位置等の指示を入力することができる。
表示部２４は、例えば液晶ディスプレイ（Liquid Crystal Display：ＬＣＤ）であり、製品に対する認証結果である認証結果画像を表示する。また、表示部２４は、移動通信端末２０にインストールされた認証判定用のＵＩアプリの操作画面や、移動通信端末２０のその他の機能の操作のための操作画面を表示する。
【００２３】
時計部２５は、時計機能を有している。時計部２５は、通信部２２が図示しない基地局から受信した、時刻情報（時分秒並びに日付及び曜日）が重畳された制御信号に基づいて時刻情報を更新する。時計部２５により、製品の認証を行った際の認証日及び認証時間を検出することができる。
位置検出部２６は、例えばＧＰＳ（Global Positioning System）により、又は通信部２２を介した折り返し測位方式（ＴＡ測位方式）等を用いた基地局測位により、移動通信端末２０の現在位置を検出する。位置検出部２６により、製品の認証を行った際の認証場所を検出することができる。
制御部２８は、操作入力部２３で受け付けた操作に基づいて、ＲＦＩＤリーダ２１、通信部２２、操作入力部２３、表示部２４及び記憶部２７、並びに図示しない他の機能部の動作を制御する。
【００２４】
記憶部２７は、例えば半導体メモリにより構成される。また、記憶部２７には、移動通信端末２０に差し込まれたＳＩＭカード（Subscriber Identity Module Card）等の外部記憶媒体も含むものとする。
記憶部２７は、移動通信端末２０を動作させるために必要な情報やプログラムが格納される。また、記憶部２７には、移動通信端末２０（自端末）固有の端末固有情報が記憶されている。端末固有情報としては、例えば移動体識別番号（ＩＭＥＩ：International Mobile Equipment Identit）が記憶されている。さらに、記憶部２７（ＳＩＭカード）には、ＳＩＭカードに固有の識別番号であるＩＣＣＩＤ（IC Card IDentifier）が記憶されている。また、記憶部２７（ＳＩＭカード）には、電話番号（ＭＳＩＳＤＮ：Mobile Subscriber Integrated Services Digital Network Number）を含む加入者識別番号（ＩＭＳＩ：International Mobile Subscriber Identity）が格納されている。すなわち、記憶部２７には、端末固有情報として、移動体識別番号やＩＣＣＩＤ、電話番号が記憶されている。
【００２５】
（認証サーバ）
認証サーバ３０は、通信部３１と、認証判定部３２と、製品データベース（以下、製品ＤＢと記載する場合がある）３３と、制御部３４とを備えている。
通信部３１は、ネットワークを介して移動通信端末２０と接続されるインタフェースである。
製品データベース３３は、ＲＦＩＤタグ１０のタグ固有情報と、そのＲＦＩＤタグ１０が取り付けられた製品の製品固有情報とが関連付けられた製品データを記憶する。
制御部３４は、通信部３１、認証判定部３２及び製品データベース３３、並びに図示しない他の機能部の動作を制御する。
【００２６】
認証判定部３２は、判定部３２１と画像生成部３２２とを備える。
判定部３２１は、移動通信端末２０のＲＦＩＤリーダ２１で読み出されたＲＦＩＤタグ１０のタグ固有情報に基づいて、ＲＦＩＤタグ１０が取り付けられた製品が正規の製品であるか否かの認証判定を行う。判定部３２１は、ＲＦＩＤリーダ２１で読み出されたＲＦＩＤタグ１０のタグ固有情報に対応する製品データが、製品データベース３３に予め記憶されているかを検索し、検索結果に応じて認証判定を行う。
【００２７】
例えば、判定部３２１は、ＲＦＩＤリーダ２１で読み出されたＲＦＩＤタグ１０のタグ固有情報に対応する製品データが製品データベース３３に記憶されていない場合には、認証ＮＧと判断する。また、判定部３２１は、ＲＦＩＤリーダ２１で読み出されたＲＦＩＤタグ１０のタグ固有情報に対応する製品データが製品データベース３３に記憶されている場合には、乱数を生成し、ＲＦＩＤタグ１０に送信する。
判定部３２１は、生成した乱数を用いて所定の演算を行い、第１の演算結果を得る。また、判定部３２１は、ＲＦＩＤタグ１０に対して生成した乱数を送信し、ＲＦＩＤタグ１０から乱数を用いて行った所定の演算の演算結果である第２の演算結果を得る。判定部３２１は、第１の演算結果と第２の演算結果との照合を行い、認証判定を行う。
【００２８】
画像生成部３２２は、判定部３２１の判定結果に基づき、認証結果画像を生成する。なお、「認証結果画像」とは、製品が認証された場合の「認証ＯＫ画像」及び製品が認証されなかった場合の「認証ＮＧ画像」の双方をいう。
画像生成部３２２が生成する認証結果画像は、認証結果表示情報と付加表示情報とを含む画像である。認証結果表示情報は、ＲＦＩＤリーダ２１で読み出されたタグ固有情報に基づいてＲＦＩＤタグ１０が取り付けられた製品が正規の製品であるか否かの認証結果（認証ＯＫ又は認証ＮＧ）を示す。付加表示情報は、認証結果表示情報に付加して表示される情報であり、製品の認証を行ったときの状況に応じて変化する情報を含んでいる。付加表示情報は、例えば認証時の状況を示す認証日、認証時間及び認証場所等の認証状況情報や認証を行った移動通信端末２０の端末固有情報である。認証場所は、実際の地名を示す文字画像や、認証場所に関連するランドマークの画像等で示される。また、付加表示情報は、認証日に基づいて判断される曜日や認証場所に基づいて判断される認証場所の天候等の情報であってもよい。認証結果画像は、認証結果表示情報と１又は２以上の付加表示情報とを含んでいる。
【００２９】
また、画像生成部３２２の図示しない記憶部には、認証結果画像加工用の認証結果表示情報（例えば「ＯＫ」や「ＮＧ」等の画像）や、認証場所を示すランドマークの画像等の認証結果画像の合成に必要な情報が記憶されている。また、画像生成部３２２には、認証結果画像の背景となる画像が記憶されていてもよい。
認証サーバ３０内の画像生成部３２２に認証結果画像加工用の各画像が記憶されていることにより、移動通信端末２０内に認証結果画像が記憶される必要がないため、移動通信端末２０から認証結果画像が抜き出されることがない。
【００３０】
以下、画像生成部３２２で生成される認証結果画像について、詳細に説明する。
（認証結果画像）
以下、画像生成部３２２で生成される認証結果画像について、図２から図５を用いて説明する。
画像生成部３２２が生成する認証結果画像は、認証結果表示情報と付加表示情報とを含む画像である。認証結果表示情報は、ＲＦＩＤリーダ２１で読み出されたタグ固有情報に基づいてＲＦＩＤタグ１０が取り付けられた製品が正規の製品であるか否かの認証結果（認証ＯＫ又は認証ＮＧ）を示す。付加表示情報は、認証結果表示情報に付加して表示される情報であり、製品の認証を行ったときの状況に応じて変化する情報を含んでいる。付加表示情報は、認証時の状況を示す認証状況情報及び認証を行った移動通信端末２０の端末固有情報のうちの少なくとも一方からなる１又は２以上の情報である。
【００３１】
認証結果画像に表示する認証結果表示情報及び付加表示情報の各要素は、操作入力部２３で受け付けられたユーザの指示に基づいて選択、配置の決定、表示色の決定及び画面動作の決定等されてもよい。
例えば、ユーザが操作入力部２３で表示要素を選択した場合、認証結果画像には選択された表示要素が表示される。また、ユーザが操作入力部２３で表示要素の表示位置を指定した場合、認証結果画像の指定の位置に指定された表示要素が表示される。さらに、ユーザが操作入力部２３で表示色を選択した場合、認証結果画像中の文字画像が指定の表示色で表示される。さらに、２以上の表示要素が重なって表示された部分の表示色を重なって表示された各表示要素の表示色の合成色とする場合（詳しくは後述する）には、ユーザが操作入力部２３で選択した合成色の決定方法に従って２以上の表示要素が重なって表示された部分の表示色が決定される。さらに、ユーザが操作入力部２３で選択した画面動作に従い、例えば認証結果画像の通常画像と反転画像とを交互に出力させる場合には、認証結果画像の反転画像が作成され。
【００３２】
以下、図２から図５を参照して認証結果画像の具体例について説明する。
［認証結果画像の第１の例］
図２は、移動通信端末２０の表示部２４に表示される認証結果画像の第１の例である認証結果画像４１を示す模式図である。認証結果画像４１は、背景４１ｄと、「ＯＫ」と示された認証結果表示情報４１ａと、「０３−ＭＡＲ−２０１５」と示された認証日４１ｂと、「０９０−１２３４−５６７８」と示された電話番号４１ｃとを含んでいる。認証日４１ｂは認証状況情報であり、電話番号４１ｃは端末固有情報である。すなわち、認証日４１ｂ及び電話番号４１ｃは付加表示情報である。
【００３３】
正規のＵＩアプリにおいて図２に示す認証結果画像４１を表示することにより、認証結果画像をキャプチャしたキャプチャ画像をそのまま利用して偽造ＵＩアプリを作成することが困難となる。これは、正規のＵＩアプリにおける認証結果画像中に、製品の認証を行ったときの状況に応じて変化する情報（認証日、認証時刻、認証場所等）が含まれており、ユーザが認証動作を行った実際の状況とは異なる情報が表示されていることに気づき易いためである。偽造ＵＩアプリを作成する場合でも、認証結果画像から付加表示情報を削除して認証結果表示情報のみが表示された画像を作成する必要がある。このため、偽造ＵＩアプリの作成に手間がかかり、正規のＵＩアプリの偽造が困難となる。
【００３４】
［認証結果画像の第２の例］
図３は、移動通信端末２０の表示部２４に表示される認証結果画像の第２の例である認証結果画像４２を示す模式図である。認証結果画像４２は、背景４２ｄと、「ＯＫ」と示された認証結果表示情報４２ａと、「０３−ＭＡＲ−２０１５」と示された認証日４２ｂと、「０９０−１２３４−５６７８」と示された電話番号４２ｃとを含んでいる。また、認証結果画像４２は、認証結果表示情報４２ａと付加表示情報である認証日４２ｂ及び電話番号４２ｃのそれぞれの一部とが重なって表示されている。特に、図３に示す認証結果画像４２では、認証結果表示情報４２ａが付加表示情報（認証日４２ｂ及び電話番号４２ｃ）の前面に重なって表示されている。
【００３５】
正規のＵＩアプリにおいて図３に示す認証結果画像４２を表示することにより、認証結果画像をキャプチャしたキャプチャ画像をそのまま利用して偽造ＵＩアプリを作成することが困難となる。偽造ＵＩアプリを作成する場合、認証結果画像から付加表示情報を削除して認証結果表示情報のみが表示された画像を作成する必要がある。また、偽造ＵＩアプリを用いて製品の認証を行う場合、認証結果画像を作成するためには、背景４２ｄに対応する背景と、認証結果表示情報４２ａに対応する認証結果表示情報とを別に準備する必要がある。そして、背景４２ｄの前面に付加表示情報を配置し、付加表示情報の前面に認証結果表示情報を配置する画像加工を認証ごとに行う必要がある。このため、偽造ＵＩアプリの作成に手間がかかり、正規のＵＩアプリの偽造がより困難となる。
【００３６】
［認証結果画像の第３の例］
図４は、移動通信端末２０の表示部２４に表示される認証結果画像の第３の例である認証結果画像４３を示す模式図である。認証結果画像４３は、背景４３ｄと、「ＯＫ」と示された認証結果表示情報４３ａと、「０３−ＭＡＲ−２０１５」と示された認証日４３ｂと、「０９０−１２３４−５６７８」と示された電話番号４３ｃとを含んでいる。また、認証結果画像４３は、認証結果表示情報４３ａと付加表示情報である認証日４３ｂ及び電話番号４３ｃのそれぞれの一部とが重なって表示されている。特に、図４に示す認証結果画像４３では、付加表示情報（認証日４３ｂ及び電話番号４３ｃ）が認証結果表示情報４３ａの前面に重なって表示されている。
【００３７】
正規のＵＩアプリにおいて図４に示す認証結果画像４３を表示することにより、認証結果画像をキャプチャしたキャプチャ画像をそのまま利用して偽造ＵＩアプリを作成することが困難となる。偽造ＵＩアプリを作成する場合、認証結果画像から付加表示情報を削除して認証結果表示情報のみが表示された画像を作成する必要がある。認証結果画像４３では、認証結果表示情報４３ａの一部（付加表示情報と重なっている部分）の画像の輪郭が不明である。このため、認証結果画像４３から付加表示情報（認証日４３ｂ及び電話番号４３ｃ）の画像を削除しても、認証結果表示情報４３ａを復元することが困難である。このため、偽造ＵＩアプリの作成に手間がかかり、正規のＵＩアプリの偽造がさらに困難となる。
【００３８】
［認証結果画像の第４の例］
図５は、移動通信端末２０の表示部２４に表示される認証結果画像の第４の例である認証結果画像４４を示す模式図である。認証結果画像４４は、背景４４ｄと、「ＯＫ」と示された認証結果表示情報４４ａと、「０３−ＭＡＲ−２０１５」と示された認証日４４ｂと、「０９０−１２３４−５６７８」と示された電話番号４４ｃとを含んでいる。また、認証結果画像４４は、認証結果表示情報４４ａと付加表示情報である認証日４４ｂ及び電話番号４４ｃのそれぞれの一部とが重なって表示されている。
【００３９】
特に、図５に示す認証結果画像４４では、認証結果表示情報４４ａと付加表示情報（認証日４４ｂ及び電話番号４４ｃ）とが重なって表示された部分の表示色が、認証結果表示情報４４ａ及び付加表示情報（認証日４４ｂ及び電話番号４４ｃ）のそれぞれの表示色とは異なる色で表示されている。また、図５に示す認証結果画像４４では、複数の付加表示情報同士（認証日４４ｂ及び電話番号４４ｃ）が重なって表示された部分の表示色が、付加表示情報（認証日４４ｂ及び電話番号４４ｃ）のそれぞれの表示色とは異なる色で表示されている。
【００４０】
そして、上述した、重なって表示された部分の表示色は、重なって表示された各情報の表示色同士が合成された色である。すなわち、認証結果表示情報４４ａと付加表示情報とが重なって表示された部分の表示色は、重なって表示された認証結果表示情報４４ａの表示色と付加表示情報の表示色とが合成された色である。また、複数の付加表示情報同士（認証日４４ｂ及び電話番号４４ｃ）が重なって表示された部分の表示色は、重なって表示された複数の付加表示情報（認証日４４ｂ及び電話番号４４ｃ）のそれぞれの表示色が合成された色である。これにより、より偽造されにくい認証結果画像４４を得ることができる。
【００４１】
また、合成された色は、赤（Ｒ）、緑（Ｇ）、青（Ｂ）の光の三原色を組み合わせる加法混色やシアン（Ｃ）、マゼンタ（Ｍ）、イエロー（Ｙ）の色材の三原色を組み合わせる減法混色による合成色とされる。これにより、ユーザが合成色に対して違和感を覚えることがない認証結果画像４４が生成される。例えば、赤（Ｒ）で表示された文字と青（Ｂ）で表示された文字との一部が重なっている場合、当該重なっている一部はマゼンタ（Ｍ）で表示される。
【００４２】
また、合成された色は、独自の合成アルゴリズムによって決定された合成色であってもよい。独自の合成アルゴリズムの一例として、例えば、赤（Ｒ）で表示された文字と青（Ｂ）で表示された文字が重なる部分は、赤（Ｒ）と青（Ｂ）との合成色であるマゼンタ（Ｍ）の補色である緑（Ｇ）で表示するような規則を有する合成色の決定方法が挙げられる。
認証結果画像４４は、認証結果表示情報４４ａ、付加表示情報（認証日４４ｂ及び電話番号４４ｃ）並びに認証結果表示情報４４ａ及び付加表示情報が重なる部分が全て同一のレイヤーとなるように画像が加工される。
【００４３】
正規のＵＩアプリにおいて図５に示す認証結果画像４４を表示することにより、認証結果画像をキャプチャしたキャプチャ画像をそのまま利用して偽造ＵＩアプリを作成することが困難となる。また、認証結果表示情報４４ａや付加表示情報（認証日４４ｂ及び電話番号４４ｃ）の一部の表示色が変更されるため、認証結果画像４４から認証結果表示情報４４ａを示す画像のみを復元することは困難である。このため、偽造ＵＩアプリの作成に手間がかかり、正規のＵＩアプリの偽造がさらに困難となる。
【００４４】
＜認証結果表示システムの動作＞
以下、図６から図８を参照して、認証結果表示システム１の動作について説明する。
（製品データ登録動作）
図６は、認証結果表示システム１において、製品の認証動作を行うにあたって製品データを登録する際の動作を示すシーケンスチャートである。
図６に示すように、ＲＦＩＤタグ１０にＲＦＩＤタグ１０を取り付ける製品の製品固有情報を書き込む（ステップＳ１０１）。製品固有情報の書き込みは、製品に取り付ける前のＲＦＩＤタグ１０に対して行ってもよいし、製品に取り付けた後のＲＦＩＤタグ１０に対して行ってもよい。
【００４５】
続いて、製品データ登録用のＲＦＩＤリーダにおいてＲＦＩＤタグ１０に記憶された製品データの読取要求がなされる（ステップＳ１０２）。これにより、ＲＦＩＤリーダからＲＦＩＤタグ１０に対して製品固有情報の読み取り要求がなされ（ステップＳ１０３）、ＲＦＩＤタグ１０の固有のタグ固有情報ＵＩＤと、製品固有情報とがＲＦＩＤリーダに送信される（ステップＳ１０４）。ＲＦＩＤリーダは、ＲＦＩＤタグ１０から受信したタグ固有情報ＵＩＤ及び製品固有情報を、認証サーバ３０に送信する（ステップＳ１０５）。その後、認証サーバ３０は、タグ固有情報と製品固有情報とを互いに関連付けた製品データを製品データベース（ＤＢ）３３に記憶する。このような製品データ登録動作が、ＲＦＩＤタグ１０を取り付けた各製品について行われる。
【００４６】
（製品認証動作）
図７は、認証結果表示システム１において、製品の認証動作を示すシーケンスチャートである。
認証判定用のＵＩアプリがインストールされた移動通信端末２０において、製品の認証検査の指示がなされる（ステップＳ２０１）。このとき、移動通信端末２０の操作入力部２３から、認証結果画像に表示する付加表示情報の種類の選択や、認証結果表示情報及び付加表示情報の各表示要素の配置、表示色の決定及び認証結果画像の画面動作の決定等がされてもよい。
続いて、移動通信端末２０からＲＦＩＤタグ１０に対して読取要求がなされ（ステップＳ２０２）、ＲＦＩＤタグ１０固有のタグ固有情報ＵＩＤが移動通信端末２０に送信される（ステップＳ２０３）。
【００４７】
ＲＦＩＤタグ１０からタグ固有情報ＵＩＤを受信した移動通信端末２０は、受信したタグ固有情報ＵＩＤと、自端末の端末固有情報とを認証サーバ３０の認証判定部３２に送信する（ステップＳ２０４）。認証判定部３２は、製品データベース３３に対してタグ固有情報ＵＩＤを送信し（ステップＳ２０５）、製品データベース３３にタグ固有情報ＵＩＤに対応する製品データが記憶されているか否かを検索し（ステップＳ２０６）、検索結果が認証判定部３２に返信される（ステップＳ２０７）。
【００４８】
認証判定部３２（判定部３２１）は、製品データベース３３から返信された検索結果に基づいて、認証判定を行う（ステップＳ２０８）。認証判定部３２は、例えば、ＲＦＩＤタグ１０のタグ固有情報に対応する製品データが製品データベース３３に記憶されている場合には認証ＯＫと判断し、ＲＦＩＤタグ１０のタグ固有情報に対応する製品データが製品データベース３３に記憶されていない場合には認証ＮＧと判断する。
【００４９】
認証判定は、一般的な方法で行うことができる。例えば、認証判定部３２の判定部３２１（図１参照）は、生成した乱数と製品データベース３３から取得した製品固有情報とを用いて所定の演算を行い、演算結果（第１の演算結果）を得る。続いて、ＲＦＩＤタグ１０において認証サーバ３０が生成した乱数とＲＦＩＤタグ１０に記憶された製品固有情報とを用いて所定の演算を行い、演算結果（第２の演算結果）を得る。判定部３２１は、第１の演算結果と第２の演算結果とを比較し、第１の演算結果と第２の演算結果との照合の結果一致する場合には認証ＯＫと判断し、一致しない場合には認証ＮＧと判断する。
【００５０】
認証判定部３２の画像生成部３２２（図１参照）において、認証判定部３２の判定部３２１における判定結果に基づいて認証結果画像が生成される（ステップＳ２０９）。認証サーバ３０は、生成した認証結果画像を移動通信端末２０に送信し（ステップＳ２１０）、移動通信端末２０の表示部２４に認証サーバから送信された認証結果画像が表示される（ステップＳ２１１）。
【００５１】
図８は、認証判定部３２の画像生成部３２２における認証結果画像の生成方法を示すフローチャートである。図８に示すフローチャートは、図７のステップＳ２０９における認証結果画像の生成に該当する。
図８に示すように、画像生成部３２２は、背景画面を決定する（ステップＳ１１）。背景画面は、端末固有情報として認証サーバ３０に送信された、移動通信端末２０の時計部２５で検出された認証時刻及び位置検出部２６で検出された位置情報に基づいて、該当する画像が選択されてもよい。例えば、認証時刻が夜であり、位置情報がエジプトである場合には、エジプトのランドマークであるピラミッドの画像を用いた夜のピラミッドの画像が背景画面として選択される。
【００５２】
認証結果画像に表示される表示要素が決定される（ステップＳ１２）。表示要素は、認証ＯＫ又は認証ＮＧを示す認証結果表示情報の他に、電話番号等の端末固有情報や認証日、認証時間、認証場所等の認証状況情報が選択される。また、端末固有情報及び認証状況情報以外の情報（例えば、製品に取り付けられたＲＦＩＤタグ１０のタグ固有情報）が選択されてもよい。
認証結果画像に表示される表示要素の配置位置が決定される（ステップＳ１３）。表示要素の配置位置は、所定の配置位置が選択されてもよく、ユーザによって配置位置が指定された場合には指定の位置にしての表示要素が表示される。
【００５３】
背景画面、表示要素及び表示要素の配置が決定されると（ステップＳ１１〜Ｓ１３）、決定された条件に従って認証結果画像の加工処理が行われる（ステップＳ１４）。このとき、表示要素の配置位置に応じて、表示要素同士の重なる部分の表示色が、加法混色若しくは減法混色、又は独自の合成アルゴリズムに基づいて処理される。これにより、例えば認証結果画像の第１の例〜第４の例のように各表示要素を配置して、図２〜図５に示す認証結果画像４１〜４４のような認証結果画像を作成する。
最後に、画面動作が決定される（ステップＳ１５）。認証結果画像として通常画像と反転画像とを交互に出力する場合には、ステップＳ１４において反転画像の作成を行っておき、通常画像と反転画像とを交互に表示する画像ファイルを作成する。
【００５４】
＜認証結果表示プログラム＞
第１の実施形態に係る認証結果表示プログラムは、認証結果表示装置である移動通信端末２０にインストールされた認証判定用のＵＩアプリであり、移動通信端末２０を、取り付けられる製品に対応した製品固有情報及び製品固有情報に関連付けられたタグ固有情報を記憶するＲＦＩＤタグ１０から製品固有情報を読み出すＲＦＩＤリーダ２１と、ＲＦＩＤリーダ２１で読み出されたタグ固有情報に基づいてＲＦＩＤタグ１０が取り付けられた製品が正規の製品であるか否かの認証結果を示す認証結果表示情報と、認証を行ったときの状況に応じて変化する認証状況情報及び自端末の端末固有情報のうちの少なくとも一方からなる１又は２以上の付加表示情報と、を含んで生成された認証結果画像を表示する表示部２４と、として機能させる。
【００５５】
＜第１の実施形態の効果＞
以上説明した本発明の第１実施形態に係る認証結果表示装置、認証結果表示システム及び認証結果表示プログラムによれば、以下の効果を得ることができる。
（１）正規のＵＩアプリにおける認証結果画像中に、製品の認証を行ったときの状況に応じて変化する認証状況情報（認証日、認証時刻、認証場所等）が含まれているため、正規のＵＩアプリの認証結果画像のキャプチャ画像をそのまま利用して偽造ＵＩアプリを作成することが困難となる。
【００５６】
（２）正規のＵＩアプリの認証結果画像のキャプチャ画像をそのまま利用した偽造ＵＩアプリの認証結果画像は、実際の認証時とは異なる認証日、認証時間及び認証場所を含む可能性が高く、ユーザが認証結果に対して違和感を持ちやすくなる。
（３）正規のＵＩアプリにおける認証結果画像中で認証結果表示情報と認証状況情報や端末固有情報等の付加表示情報とが重なって配置された場合、正規のＵＩアプリの認証結果画像のキャプチャ画像から認証結果表示情報のみを抜き出すことが困難であるため、偽造ＵＩアプリの作成に手間がかかり、正規のＵＩアプリの偽造が困難となる。
【００５７】
（４）正規のＵＩアプリにおける認証結果画像中で認証状況情報や端末固有情報等の付加表示情報と認証結果表示情報とが重なり、かつ認証結果表示情報が付加表示情報の前面に配置された場合、正規のＵＩアプリの認証結果画像のキャプチャ画像から認証結果表示情報のみを抜き出すことが困難となる。また、偽造ＵＩアプリにおいて正規のＵＩアプリと同様の認証結果画像を作成するためには、背景画面と認証結果画像との間に付加表示情報を表示させる加工が必要となるため、偽造ＵＩアプリの作成に手間がかかり、正規のＵＩアプリの偽造がより困難となる。
【００５８】
（５）正規のＵＩアプリにおける認証結果画像中で認証状況情報や端末固有情報等の付加表示情報と認証結果表示情報とが重なり、かつ付加表示情報が認証結果表示情報の前面に配置された場合、認証結果画像において認証結果表示情報の一部（付加表示情報と重なっている部分）の画像の輪郭が不明であるため、認証結果表示情報を復元することが困難である。このため、偽造ＵＩアプリの作成に手間がかかり、正規のＵＩアプリの偽造がさらに困難となる。
【００５９】
（６）正規のＵＩアプリにおける認証結果画像中で認証結果表示情報と付加表示情報、又は複数の付加表示情報同士の重なり合う部分の表示色を、認証結果表示情報及び付加表示情報のそれぞれの表示色とは異なる色とする場合、一部の表示色が変更された認証結果画像から元の表示色の認証結果表示情報の画像のみを復元することは困難である。このため、偽造ＵＩアプリの作成に手間がかかり、正規のＵＩアプリの偽造がさらに困難となる。
（７）ＵＩアプリがインストールされる移動通信端末２０内に認証結果画像作成用の画像が記憶されていないため、移動通信端末２０から認証結果画像作成用の画像を抜き出すことができず、正規のＵＩアプリの偽造が困難となる。
【００６０】
＜＜第２の実施形態＞＞
図９及び図１０を参照して、第２の実施形態を説明する。なお、図９及び図１０において、第１の実施形態で説明した図１から図８と共通する部分には同一の符号を付す。
第２の実施形態では、認証結果表示装置外の認証サーバにおける認証結果に基づいて、認証結果表示装置で認証結果画像を生成して表示する構成について説明する。
第２の実施形態では、非接触タグとしてＲＦＩＤタグを用い、認証結果表示装置として、認証判定用のＵＩアプリがインストールされた移動通信端末を用いる。
【００６１】
＜認証結果表示システムの構成＞
図９は、第２の実施形態における認証結果表示システム１０１の機能を説明するための機能ブロック図である。
認証結果表示システム１０１の移動通信端末１２０は、ＲＦＩＤリーダ２１、通信部２２、操作入力部２３、表示部２４、時計部２５、位置検出部２６、記憶部２７及び制御部２８に加えて、画像生成部２９を備える点で第１の実施形態の移動通信端末２０と異なる。第２の実施形態における記憶部２７には、認証結果画像加工用の認証結果表示情報（例えば「ＯＫ」や「ＮＧ」等の画像）や、認証場所を示すランドマークの画像等の認証結果画像の合成に必要な認証結果画像加工用画像が記憶されている。また、記憶部２７には、認証結果画像の背景となる画像が記憶されていてもよい。移動通信端末１２０の画像生成部２９は、第１の実施形態の画像生成部３２２と同様に、判定部３２１の判定結果に基づいて認証結果画像を生成する。また、認証結果表示システム１０１の認証サーバ１３０は、認証判定部１３２が、判定部３２１を備え、画像生成部を備えていない点で第１の実施形態の認証サーバ３０と異なる。
【００６２】
＜認証結果表示システムの動作＞
（製品データ登録動作）
第２の実施形態における製品データ登録動作は、第１の実施形態における製品データ登録動作（図６に示すステップＳ１０１からステップＳ１０６）と同一である。このため、第２の実施形態における製品データ登録動作についての詳細な説明を省略する。
【００６３】
（製品認証動作）
図１０は、認証結果表示システム１０１において、製品の認証動作を示すシーケンスチャートである。
移動通信端末１２０において製品の認証検査の指示がなされると（ステップＳ３０１）、移動通信端末１２０からＲＦＩＤタグ１０に対して読取要求がなされ（ステップＳ３０２）、ＲＦＩＤタグ１０固有のタグ固有情報ＵＩＤが移動通信端末１２０に送信される（ステップＳ３０３）。
【００６４】
ＲＦＩＤタグ１０からタグ固有情報ＵＩＤを受信した移動通信端末１２０は、受信したタグ固有情報ＵＩＤを認証サーバ１３０の認証判定部３２に送信する（ステップＳ２０４）。このとき、移動通信端末２０は、自端末の端末固有情報を認証サーバ３０の認証判定部３２に送信する必要はない。認証判定部３２は、製品データベース３３に対してタグ固有情報ＵＩＤを送信し（ステップＳ３０５）、製品データベース３３にタグ固有情報ＵＩＤに対応する製品データが記憶されているか否かを検索する（ステップＳ３０６）。認証判定部３２は、認証判定部３２に返信された検索結果に基づいて認証判定を行う（ステップＳ３０７、ステップＳ３０８）。なお、ステップＳ２０８における認証判定は、第１の実施形態の認証判定（ステップＳ２０８）と同様の方法を用いることができる。
【００６５】
認証サーバ１３０は、認証判定の結果と、認証判定を行った際の認証状況情報（認証日、認証時間等）を移動通信端末１２０に送信する（ステップＳ３０９）。続いて、移動通信端末１２０は、自端末の端末固有情報を記憶部２７から読み取り（ステップＳ３１０）、認証サーバ１３０から受信した認証判定の結果に基づいて認証結果画像を生成する（ステップＳ３１１）。このとき、移動通信端末１２０は、記憶部２７に記憶された認証結果画像加工用画像と、認証サーバ１３０から送信された認証状況情報及び移動通信端末１２０の端末固有情報の少なくとも一方とを用いて認証結果画像を生成する。最後に、移動通信端末１２０の表示部２４において認証結果画像が表示される（ステップＳ３１２）。
【００６６】
＜第２の実施形態の効果＞
以上説明した本発明の第２実施形態に係る認証結果表示装置、認証結果表示システム及び認証結果表示プログラムによれば、第１の実施形態の（１）〜（６）と同様の効果を得ることができる。
【００６７】
＜＜第３の実施形態＞＞
図１１、図１２及び図１３を参照して、第３の実施形態を説明する。なお、図１１から図１３において、第１の実施形態で説明した図１から図８と共通する部分には同一の符号を付す。
第３の実施形態では、認証結果表示装置において、製品の認証及び認証結果画像の生成を行う認証結果表示装置及び認証結果表示システムについて説明する。
第３の実施形態では、非接触タグとしてＲＦＩＤタグを用い、認証結果表示装置として、認証判定用のＵＩアプリがインストールされた移動通信端末を用いる。
【００６８】
＜認証結果表示システムの構成＞
図１１は、第３の実施形態における認証結果表示システム２０１の機能を説明するための機能ブロック図である。
認証結果表示システム２０１の移動通信端末２００は、ＲＦＩＤリーダ２１、通信部２２、操作入力部２３、表示部２４、時計部２５、位置検出部２６、記憶部２７及び制御部２８に加えて、認証判定部３２を備える点で第１の実施形態の移動通信端末２０と異なる。第３の実施形態における認証判定部３２には、第１の実施形態と同様の判定部３２１及び画像生成部３２２が備えられている。
また、移動通信端末２００の通信部は、アプリケーションサービスプロバイダ（ＡＳＰ：Application Service Provider）５０との間で通信を行う。
【００６９】
＜認証結果表示システムの動作＞
（製品データ登録動作）
第３の実施形態における製品データ登録動作について説明する。
図１２は、第３の実施形態の認証結果表示システム２０１で製品の認証動作を行うにあたって、ＲＦＩＤタグ１０への製品データの書き込みを行う際の動作を示すシーケンスチャートである。
【００７０】
図１２に示すように、ＲＦＩＤライタ６０において、ＲＦＩＤタグ１０に対して製品固有情報を書込む書込み指示を行うと（ステップＳ４０１）、ＲＦＩＤライタ６０からＲＦＩＤタグ１０に対して書込み要求が送信される（ステップＳ４０２）。そして、ＲＦＩＤタグ１０にＲＦＩＤタグ１０を取り付ける製品の製品固有情報が暗号化されて書き込まれる（ステップＳ４０３）。
続いて、ＲＦＩＤタグ１０からＲＦＩＤライタ６０に対して、暗号化された製品固有情報に対応する鍵値を送信する（ステップＳ４０４）。ＲＦＩＤライタ６０は、ＲＦＩＤタグ１０から受信した鍵値をＡＳＰ５０に対して送信し、ＡＳＰ５０において鍵値を認証検査用のＵＩアプリ内に実装する（ステップＳ４０５）。
【００７１】
（製品認証動作）
図１３は、認証結果表示システム２０１において、製品の認証動作を示すシーケンスチャートである。
移動通信端末２００において認証検査用のＵＩアプリが起動される（ステップＳ５０１）と、移動通信端末２００からＡＳＰ５０に対して起動通知が送信される（ステップＳ５０２）。ＡＳＰ５０は、移動通信端末２００のＵＩアプリを最新状態に更新する（ステップＳ５０３）。
続いて、移動通信端末２００において製品の認証検査の指示がなされると（ステップＳ５０１）、移動通信端末２００からＲＦＩＤタグ１０に対して読取要求がなされ（ステップＳ５０５）、ＲＦＩＤタグ１０固有のタグ固有情報ＵＩＤと、暗号化書込みされた製品固有情報が移動通信端末２００に送信される（ステップＳ５０６）。
【００７２】
ＲＦＩＤタグ１０からタグ固有情報ＵＩＤ及び暗号化製品固有情報を受信した移動通信端末２００は、ステップＳ４０６で実装した鍵値を用いて暗号化製品固有情報を復号化し、製品固有情報を得る（ステップＳ５０７）。認証判定部３２は、復号化した製品固有情報とに基づいてに基づいて認証判定を行う（ステップＳ５０８）。認証判定は、例えば、移動通信端末２００の認証判定部３２の判定部３２１（図１１参照）が、生成した乱数と復号化した製品固有情報とを用いて所定の演算を行い、演算結果（第１の演算結果）を得る。続いて、ＲＦＩＤタグ１０において認証サーバ３０が生成した乱数とＲＦＩＤタグ１０に記憶された製品固有情報とを用いて所定の演算を行い、演算結果（第２の演算結果）を得る。判定部３２１は、第１の演算結果と第２の演算結果とを比較し、第１の演算結果と第２の演算結果との照合の結果一致する場合には認証ＯＫと判断し、一致しない場合には認証ＮＧと判断する。
【００７３】
移動通信端末２００は、ステップＳ５０８における判定結果に基づいて、認証結果画像を生成する（ステップＳ５０９）。このとき、移動通信端末２００は、認証判定を行った際の認証状況情報（認証日、認証時間等）を自端末の時計部２５、位置検出部２６等から取得し、自端末の記憶部２７から端末固有情報を取得する。そして、移動通信端末２００は、記憶部２７に記憶された認証結果画像加工用画像と、取得した認証状況情報及び端末固有情報の少なくとも一方とを用いて認証結果画像を生成する。最後に、移動通信端末２００の表示部２４において認証結果画像が表示される（ステップＳ５１０）。
【００７４】
＜第３の実施形態の効果＞
以上説明した本発明の第３実施形態に係る認証結果表示装置、認証結果表示システム及び認証結果表示プログラムによれば、第１の実施形態の（１）〜（６）と同様の効果を得ることができる。
【００７５】
本発明は、以上に記載した実施形態やその変形例に限定されるものではない。当業者の知識に基づいて実施形態やその変形例に設計の変更等を加えてもよく、また、実施形態やその変形例を任意に組み合わせてもよく、そのような変更等を加えた態様も本発明の技術的範囲に含まれる。
例えば、認証結果表示システムの構成は上述の第１の実施形態から第３の実施形態のいずれかに記載の構成に限られたものでなく、タグ固有情報に基づいて認証判定された結果である認証結果表示情報と、認証を行ったときの状況に応じて変化する認証状況情報及び自端末の端末固有情報のうちの少なくとも一方からなる１又は２以上の付加表示情報と、を含む認証結果画像を生成することができればどのようなシステムであってもよい。
【符号の説明】
【００７６】
１，１０１，２０１  認証結果表示システム
１０  ＲＦＩＤタグ
２１  ＲＦＩＤリーダ
２２  通信部
２３  操作入力部
２４  表示部
２５  時計部
２６  位置検出部
２７  記憶部
２８  制御部
２９  画像生成部
３０  認証サーバ
３１  通信部
３２  認証判定部
３２１  判定部
３２２  画像生成部
３３  製品データベース
３４  制御部
４０  ＲＦＩＤリーダ
５０  アプリケーションサービスプロバイダ
６０  ＲＦＩＤライタ
【図１】
2016200998.tif 000003
【図２】
2016200998.tif 000004
【図３】
2016200998.tif 000005
【図４】
2016200998.tif 000006
【図５】
2016200998.tif 000007
【図６】
2016200998.tif 000008
【図７】
2016200998.tif 000009
【図８】
2016200998.tif 000010
【図９】
2016200998.tif 000011
【図１０】
2016200998.tif 000012
【図１１】
2016200998.tif 000013
【図１２】
2016200998.tif 000014
【図１３】
2016200998.tif 000015